(57)【特許請求の範囲】
【請求項１】
基板と、当該基板に第一摺動機構を介して前記基板の前後方向に摺動可能に連結される一対の中間板と、前記一対の中間板に第二摺動機構を介して前記前後方向に摺動可能に連結される摺動板と、を含み、
前記第二摺動機構が、前記摺動板から前記基板の幅方向外側に突出する第一突部と、当該第一突部よりも前記前後方向の後方向側に位置して前記第一突部よりも前記幅方向外側に突出する第二突部と、前記第一突部と前記第二突部を前記前後方向に案内する案内手段と、前記案内手段の前記第一突部が接する幅方向内側部分から前記前後方向の後方向側及び前記基板の表裏方向の裏方向側に分岐する分岐案内手段と、前記案内手段の前記幅方向内側部分以外の前記後方向側に位置する端部案内手段と、前記第二突部の前記後方向側及び前記表裏方向の表方向側に位置して前記摺動板から前記幅方向外側に突出する当接片と、前記摺動板を前記基板に対して前記後方向に最大変位にて摺動させた場合に前記当接片が当接される被当接部を含み、
前記当接片は、部分円筒面と当該部分円筒面の周方向両端を連結する連結平面を含み、前記被当接部は、前記部分円筒面と前記連結平面の境界部分に当接されて前記摺動板の前記前方向端部を前記後方向端部に対して前記裏方向に移動させる回転力を前記摺動板に付与する被当接形状部と、前記部分円筒面及び前記連結平面が係合される被係合形状部と、を含むことを特徴とする電子機器用スライド装置。
【請求項２】
前記分岐案内手段と前記端部案内手段はともに、前記幅方向外側から視て前記被係合形状部を中心とする周方向に延在する円弧部と当該円弧部から前記後方向に延びる直線部を有することを特徴とする請求項１に記載の電子機器用スライド装置。
【請求項３】
前記中間板は板状部材を前記前後方向に平行な山折り線と谷折り線にて折り曲げ加工することにより形成されて、前記幅方向に垂直で前記幅方向内側に位置する内側面部と、前記表裏方向に垂直な頂面部と、前記内側面部よりも前記幅方向外側に位置する外側面部と、前記外側面部の前記幅方向外側に突出する外側縁部とを含むことを特徴とする請求項２に記載の電子機器用スライド装置。
【請求項４】
前記第一摺動機構は、前記外側縁部の前記表裏方向に垂直な表面及び裏面と、前記外側面部の前記案内手段よりも前記裏方向に位置する部分の前記幅方向に垂直な内面と、前記内側面部の前記案内手段よりも前記裏方向側に位置する部分の前記幅方向に垂直な外面を摺動部として含み、当該摺動部に対応する形状を有する被摺動部を前記基板に固定されて含むことを特徴とする請求項３に記載の電子機器用スライド装置。
【請求項５】
前記摺動板は前記幅方向の外側に指向する一対の外側指向面部を有し、当該外側指向面部に前記第一突部と前記第二突部及び前記当接片が設けられることを特徴とする請求項１〜４の何れか一項に記載の電子機器用スライド装置。
【請求項６】
前記摺動板は前記外側指向面部の前記幅方向の内側に隣接して前記表裏方向に垂直をなす頭頂面部と、当該頭頂面部の内側に隣接して前記幅方向に垂直をなす内側指向面部を有し、当該内側指向面部と前記頭頂面部及び前記外側指向面部により前記前後方向に貫通する凹状空間を構成することを特徴とする請求項５に記載の電子機器用スライド装置。
【発明の詳細な説明】
【技術分野】
【０００１】
本発明は、特には携帯電話、携帯端末、携帯撮影機器等を含む電子機器に適用されて好適な、例えば本体部と副体部とを具備して、副体部を本体部に対してスライド可能とする電子機器用スライド装置に関する。
【背景技術】
【０００２】
携帯電話や携帯端末、携帯撮影機器等を構成する電子機器として、本体部に対して副体部を面方向にスライド動作させることを可能とする電子機器用スライド装置を具備したものが知られている。
【０００３】
例えば、携帯電話においては本体部にテンキー又はマイク等を配置し、副体部に液晶表示装置及びスピーカを配置して、非使用時にテンキーを収納する閉状態を選択し、使用時にテンキーを液晶表示装置の手前に露出させる開状態を選択することができる。これとともに、携帯電話においては、スピーカをユーザの耳に位置させ、マイクをユーザの口又は顎近傍に位置させる通話状態を選択することができる。
【０００４】
この電子機器用スライド装置においては、ヒンジ機構を用いたものに比べて、副体部を本体部に対してスライドさせる開閉操作において、操作初期に開方向又は閉方向に向けて押圧操作を行うのみで操作を完了させることができるため、操作自体を片手で行うことをより容易なものとすることができる。
【０００５】
加えて、開閉操作の途中において回動に伴う副体部のヒンジ中心に対する径方向外側端部の径方向へのふくらみと、副体部の回動の反動に伴って本体部に作用するモーメントを支える必要性を招くことがないという利点をも有している。このため、ユーザは開閉操作のためのスライド操作をより容易に、かつ、副体部の周囲への干渉や誤って落としてしまうことを考慮することなく行うことができる。
【０００６】
上述したような電子機器用スライド装置を備えた電子機器として特許文献１に開示されたものがある。特許文献１に示される電子機器用スライド装置は、副体部に固定されるスライド板を本体部の基板にガイドとレールを有してスライド可能に接続する構成が採用されている。
【０００７】
また、スライド板は基板にストロークの中間で付勢力方向が反転するスプリングを介して連結されており、これにより開操作の操作前半においてはユーザの操作に対する反力を付与し、操作後半においては、ユーザの操作に対する補助力を付与している。この反力と補助力により、ユーザのスライド操作に伴う操作力を、実質的には開操作の操作前半のみにおいてのみ必要として、ユーザの操作性を高めている。
【０００８】
このような構成の電子機器用スライド装置においては、全体形状が特には横長の長方形を底面とした直方体状であって、スライド方向が縦方向である条件において、副体部を本体に縦方向にスライドさせる場合に、伸長状態における副体部と本体部との重なり量をなるべく小さくすることが要請される。
【０００９】
特に上述したように電子機器においては、本体部にテンキーやキーボード等の入力装置が設置されるケースが多く、ユーザの利便性確保の観点から開状態つまり伸長状態の本体部の露出面をより大きくすることが強く要請される傾向がある。
【００１０】
すなわち、副体部を本体部に対してスライドさせて伸長させた状態では、副体部と本体部のスライド方向の重なり量はできるだけ小さくして、副体部の開く方向のスライドに伴う本体部の露出面を極力大きくする、換言すれば副体部により隠される本体部の面積をなるべく小さくすることが要請される。
【００１１】
ところが、伸長状態においてはユーザの操作時の副体部の安定性や摺動部と被摺動部を含むスライドに寄与する部分の堅牢性を確保する必要も生じることから、摺動部と被摺動部の抱え込み量すなわちオーバーラップ量をある程度長くすることも同時に要請されることとなる。このことは、副体部と本体部の重なり量をある程度確保することが必須となることをも招くこととなる。
【先行技術文献】
【特許文献】
【００１２】
【特許文献１】特開２００８−１１３０６７号公報
【発明の概要】
【発明が解決しようとする課題】
【００１３】
すなわち、重なり量つまり抱え込み量を確保すると言う要請は、伸長状態における本体部のユーザに指向する露出面の面積を十分に大きく確保するという要請を制限することを招く。つまり伸長状態において、本体部の露出面積を所望される面積に確保してユーザの利便性を確保することと、副体部の安定性を確保して操作性を確保することの双方を両立させて商品性を高めることが必ずしも容易でないという問題が生じる。
【００１４】
さらに近年においては、伸長状態における本体部と副体部のオーバーラップ量をなくして、副体部を本体部の開方向側の空間に例えばヒンジ機構を用いて収納して、本体部と副体部を同一平面内に開閉方向に並列させて位置させる所謂フルフラットタイプの電子装置が提案されている。
【００１５】
このフルフラットタイプの電子装置においては、本体部に対して副体部を開方向にスライドさせた後、ヒンジ機構により副体部を本体部に対してリンク動作させる操作が必要となり、ユーザにとって操作が煩雑となる。また本体部と副体部が同一平面上に位置することから、ユーザの副体部に対する視認性が必ずしも良好でなく意匠性の観点からもベストモードではないという課題も生じた。
【００１６】
そこで、フルフラットタイプの電子装置をさらに発展させて、上述したユーザの副体部に対する視認性や、本体部と副体部となす全体形状の意匠性を高め、なおかつ、ユーザの操作の単純化を図ることが要求される。この場合においては、伸長状態において副体部の閉方向端部を本体部の開方向端部の開方向側に落とし込んで、本体部と副体部の全体形状がなす伸長時の形態をくの字形状とする所謂チルト操作を実現する機構を具備することが要請される
このチルト操作は上述したリンク動作に比べてユーザの操作の負担は小さくなるものの一般的にはスライド操作とは別個の操作となり、スライド操作とチルト操作の双方を含む一連の開閉操作を円滑に行うことがやはり必ずしも容易ではなく、利便性と操作性を高めることが容易ではないという問題が依然として残る。
【００１７】
本発明は、上記問題に鑑み、利便性と操作性を両立させ視認性や意匠性をも高めて商品性を高めることができる電子機器用スライド装置を提供することを目的とする。
【課題を解決するための手段】
【００１８】
上記の問題を解決するため、本発明による電子機器用スライド装置は、
基板と、当該基板に第一摺動機構を介して前記基板の前後方向に摺動可能に連結される一対の中間板と、前記一対の中間板に第二摺動機構を介して前記前後方向に摺動可能に連結される摺動板と、を含み、
前記第二摺動機構が、前記摺動板から前記基板の幅方向外側に突出する第一突部と、当該第一突部よりも前記前後方向の後方向側に位置して前記第一突部よりも前記幅方向外側に突出する第二突部と、前記第一突部と前記第二突部を前記前後方向に案内する案内手段と、前記案内手段の前記第一突部が接する幅方向内側部分から前記前後方向の後方向側及び前記基板の表裏方向の裏方向側に分岐する分岐案内手段と、前記案内手段の前記幅方向内側部分以外の前記後方向側に位置する端部案内手段と、前記第二突部の前記後方向側及び前記表裏方向の表方向側に位置して前記摺動板から前記幅方向外側に突出する当接片と、前記摺動板を前記基板に対して前記後方向に最大変位にて摺動させた場合に前記当接片が当接される被当接部を含み、
前記当接片は、部分円筒面と当該部分円筒面の周方向両端を連結する連結平面を含み、前記被当接部は、前記部分円筒面と前記連結平面の境界部分に当接されて前記摺動板の前記前方向端部を前記後方向端部に対して前記裏方向に移動させる回転力を前記摺動板に付与する被当接形状部と、前記部分円筒面及び前記連結平面が係合される被係合形状部と、を含むことを特徴とする。
【発明の効果】
【００１９】
本発明によれば、利便性と操作性を両立させ視認性や意匠性をも高めて商品性を高めることができる電子機器用スライド装置を提供することができる。
【図面の簡単な説明】
【００２０】
【図１】本発明に係る電子機器用スライド装置Ｄ１の主要な構成要素を分解して前後方向に並列して示す模式図である。
【図２】本発明に係る電子機器用スライド装置Ｄ１を組み立てた状態においてスライドプレート４を前方向にスライドさせて閉状態とした態様を斜め表方向（上方向）から視て示すとともにＡＡ断面にて示す模式図である。
【図３】本発明に係る電子機器用スライド装置Ｄ１を組み立てて本体部ＢＤ及び副体部ＢＵに組み込んだ状態において副体部ＢＵを前方向にスライドさせて閉状態とした態様を三角法及び斜め表方向（上方向）から視て示す模式図である。
【図４】本発明に係る電子機器用スライド装置Ｄ１を組み立てた状態において閉状態（ａ）からスライドプレート４を後方向にスライドさせて開状態（ｅ）とする遷移態様（ｂ）（ｃ）（ｄ）を幅方向外側（右方向）から視て示す模式図である。
【図５】本発明に係る電子機器用スライド装置Ｄ１を組み立てた状態においてスライドプレート４を後方向にスライドさせて開状態とした態様を斜め表方向（上方向）から視て示すとともにそれぞれの断面にて示す模式図である。
【発明を実施するための形態】
【００２１】
以下、本発明を実施するための形態について、上述した図１〜図５の添付図面を参照しながら説明する。以下に述べる実施例の説明に用いる図１〜図５中において、Ｆは前後方向の前方向を指し、Ｕは表裏方向の表方向（上方向）を指し、Ｒは幅方向のうち右方向を指す。本実施例においては図１に示すように幅方向中央Ｃを有しており、幅方向中央Ｃに接近する方向を幅方向内側ＷＩ、離隔する方向を幅方向外側ＷＯとしている。
【実施例】
【００２２】
図１に示すように、本実施例の電子機器用スライド装置Ｄ１は、ベースプレート１（基板）と、ベースプレート１に第一摺動機構を介してベースプレート１の前後方向に摺動可能に連結される左右一対のスライダー２、３（中間板：左右）と、左右一対のスライダー２、３に第二摺動機構を介して前後方向に摺動可能に連結されるスライドプレート４（摺動板）とを備えて構成される。
【００２３】
後者の第二摺動機構は、スライドプレート４からベースプレート１の幅方向外側に突出するほぼ円柱状の幅方向一対のスライドピン５（第一突部）と、スライドピン５よりも前後方向の後方向側に位置してスライドピン５よりも幅方向外側に突出する幅方向一対のスライドピン６（第二突部）とを有する。
【００２４】
また、右側の第二摺動機構は、スライドピン５とスライドピン６の双方を前後方向に案内する案内手段７ａと、案内手段７ａのスライドピン５のみが接する幅方向内側部分から前後方向の後方向側及びベースプレート１の表裏方向の裏方向側に分岐する分岐案内手段７ｂと、案内手段７ａの幅方向内側部分以外のスライドピン６のみが接する幅方向外側部分の後方向側に位置する端部案内手段７ｃと、を備える。
【００２５】
同様に左側の第二摺動機構は、スライドピン５とスライドピン６を前後方向に案内する案内手段８ａと、案内手段８ａのスライドピン５が接する幅方向内側部分から前後方向の後方向側及びベースプレート１の表裏方向の裏方向側に分岐する分岐案内手段８ｂと、案内手段８ａの幅方向内側部分以外の後方向側に位置する端部案内手段８ｃと、を備えている。
【００２６】
さらに、第二摺動機構は、スライドピン６の後方向側及び表裏方向の表方向側に位置してスライドプレート４から幅方向外側に突出するロックピン９（当接片）と、スライドプレート４をベースプレート１に対して後方向に最大変位にて摺動させた場合にロックピン９が当接されるストッパー１０（被当接部）を含む。
【００２７】
ロックピン９（当接片）は、１８０度よりも大きい角度を有する部分円弧を幅方向に投影して形成される部分円筒面９ａと、部分円筒面９ａの周方向両端を連結する連結平面９ｂを含む円弧柱状、換言すればＤカット形状に形成されている。スライドプレート４が後方向に最大限度スライドされた状態以外においては、連結平面９ｂの法線は図１中裏方向に対して若干前方向に傾斜されており、連結平面９ｂは前後方向に対して後方向端が前方向端に対して裏方向にオフセットされる形態をなす。
【００２８】
ストッパー１０は、例えばプレス加工により打ち抜き加工を施された金属製の板状部材を表裏方向に平行な山折り線と谷折り線にて折り曲げ加工することにより形成されるものである。このストッパー１０は、部分円筒面９ａと連結平面９ｂの前後一対の境界部分のうち後方向側の境界部分に当接されて、スライドプレート４の前方向端部を後方向端部に対して裏方向に移動させる回転力を、ロックピン９を介してスライドプレート４に付与する被当接形状部１０ａを有している。
【００２９】
ここで、境界部分とは、部分円筒面９ａと連結平面９ｂの境界をなす後方向側の稜線部分を指し、被当接形状部１０ａはこの稜線部分が図１中前方向から接近して当接した場合に、稜線部分を表方向側に移動させて、連結平面９ｂを前後方向に対して平行とする曲面状又は平面状の傾斜面をなす。
【００３０】
また、ストッパー１０は、連結平面９ｂを前後方向に平行とされた後のロックピン９が係合される被係合形状部１０ｂを有しており、この被係合形状部１０ｂは、ロックピン９の部分円筒面９ａの後方向側部分と連結平面９ｂの後方向側部分を含む凸形状が係合される凹形状を構成している。
【００３１】
分岐案内手段７ｂと端部案内手段７ｃはともに、幅方向外側から視て被係合形状部１０ｂを中心（厳密には後述する図４（ｃ）〜（ｄ）において示される被当接形状部１０ａと境界部分との当接に基づくロックピン９の瞬間回転中心）とする周方向に延在する円弧部を具備し、さらに、円弧部の後方向端から終端部に至る前後方向に平行な直線部を具備している。同様に、分岐案内手段８ｂと端部案内手段８ｃはともに、幅方向外側から視て被係合形状部１０ｂを中心とする周方向に延在する円弧部を具備し、さらに、円弧部の後方向端から終端部に至る前後方向に平行な直線部を具備している。
【００３２】
スライダー２は例えば金属製の板状部材を前後方向に平行な山折り線と谷折り線にて折り曲げ加工することにより形成されて、幅方向に垂直で幅方向内側に位置する内側面部２ａと、表裏方向に垂直な頂面部２ｂと、内側面部２ａよりも幅方向外側に位置する外側面部２ｃと、外側面部２ｃの幅方向外側に突出する外側縁部２ｄとを含む。
【００３３】
同様に、スライダー３は例えば金属製の板状部材を前後方向に平行な山折り線と谷折り線にて折り曲げ加工することにより形成されて、幅方向に垂直で幅方向内側に位置する内側面部３ａと、表裏方向に垂直な頂面部３ｂと、内側面部３ａよりも幅方向外側に位置する外側面部３ｃと、外側面部３ｃの幅方向外側に突出する外側縁部３ｄとを含んでいる。
【００３４】
ストッパー１０は、スライダー２の後方向側端部に形成された嵌合部２ｅと、スライダー３の後方向側端部に形成された嵌合部３ｅにそれぞれ嵌合されて、スライダー２及びスライダー３の後方向側端部に固定される。ストッパー１０の表裏方向の裏側部分には幅方向から視て端部案内手段７ｃ、８ｃと同様の形態を有する端部案内手段対応溝１０ｃが形成されており、固定後においてスライドピン６のスライド動作をストッパー１０が阻害しないものとされている。また、スライダー２の嵌合部２ｅの後方向側には前後方向に垂直な折り曲げ部２ｇが形成され、スライダー３の嵌合部３ｅの後方向側には前後方向に垂直な折り曲げ部３ｇが形成される。
【００３５】
本実施例では、右側の案内手段７ａと分岐案内手段７ｂ及び端部案内手段７ｃを一体的に形成するスライダーガイド７（案内体：右）を含むとともに、スライダーガイド７は、スライダー２の内側面部２ａと外側面部２ｃとの間に係合止め、インサート成形等の手段に基づいて挟持されて固定される。
【００３６】
スライダー２は、スライドピン５及びスライドピン６を幅方向内側から外側に挿通する開口部２ａｗを内側面部２ａに有し、右側の案内手段７ａと分岐案内手段７ｂ及び端部案内手段７ｃに対して、右側のスライドピン５及びスライドピン６を当接させている。さらに、スライダー２の外側面部２ｃは、スライドピン６の幅方向外側端部を幅方向外側に突出させるための開口部２ｃｗを有している。
【００３７】
同様に、左側の案内手段８ａと分岐案内手段８ｂ及び端部案内手段８ｃを一体的に形成するスライダーガイド８（案内体：左）を本実施例では含むとともに、スライダーガイド８は、スライダー３の内側面部３ａと外側面部３ｃとの間に係合止め、インサート成形等の手段に基づいて挟持されて固定される。
【００３８】
スライダー３は、スライドピン５及びスライドピン６を幅方向内側から外側に挿通する開口部３ａｗを内側面部３ａに有しており、左側の案内手段８ａと分岐案内手段８ｂ及び端部案内手段８ｃに対しても、左側のスライドピン５及びスライドピン６を当接させている。さらに、スライダー３の外側面部３ｃは、左側のスライドピン６の幅方向外側端部を幅方向外側に突出させるための開口部３ｃｗを有している。
【００３９】
右側の第一摺動機構（２＋１１）は、図２中上図のＡＡ断面である下図の右側に示すように、外側縁部２ｄの表裏方向に垂直な表面２ｄＵ及び裏面２ｄＤと、外側面部２ｃの案内手段７ａよりも裏方向に位置する部分の幅方向に垂直であり幅方向内側の内面２ｃＩと、内側面部２ａの案内手段７ａ（スライダー７）よりも裏方向側に位置する部分の幅方向に垂直な外面２ａＯを摺動部として含む。
【００４０】
加えて、図２中下図の右側に示すように、この右側の第一摺動機構の含むベースガイド１１は、摺動部にのみ対応して接触する被摺動面形状を有する被摺動部を構成し、このベースガイド１１は、ベースプレート１の右端部に固定される。すなわち、外側縁部２ｄの幅方向外側端面と、内側面部２ａの裏方向側端面はベースガイド１１に対して面方向に隙間を有するものとして摺動しないものとされている。
【００４１】
左側の第一摺動機構（３＋１２）も、図２中下図左側に示すように、外側縁部３ｄの表裏方向に垂直な表面３ｄＵ及び裏面３ｄＤと、外側面部３ｃの案内手段８ａよりも裏方向に位置する部分の幅方向に垂直であり幅方向内側の内面３ｃＩと、内側面部３ａの案内手段８ａよりも裏方向側に位置する部分の幅方向に垂直な外面３ａＯを摺動部として含んでいる。
【００４２】
さらに、図２中下図左側に示すように、左側の第一摺動機構の含むベースガイド１２は、摺動部に対応する被摺動面形状を有する被摺動部を構成し、このベースガイド１２は、ベースプレート１の左端部に固定される。ここでも、外側縁部３ｄの幅方向外側端面と、内側面部３ａの裏方向側端面はベースガイド１２とは摺動しないものとされている。
【００４３】
スライドプレート４は金属製の板材をプレス加工及び折り曲げ加工することにより構成されて、幅方向の外側に指向する一対の外側指向面部４ａを有し、外側指向面部４ａにスライドピン５とスライドピン６及びロックピン９が設けられる。外側指向面部４ａには、スライドピン５及びスライドピン６の幅方向内側端部がカシメにより嵌合される円状の孔部４ａａ、４ａｂが形成され、ロックピン９の幅方向内側端部がカシメにより嵌合される四角状の穴部４ａｃが形成される。
【００４４】
スライドプレート４は外側指向面部４ａの幅方向の内側に隣接して表裏方向に垂直をなす頭頂面部４ｂと、頭頂面部４ｂの内側に隣接して幅方向に垂直をなす内側指向面部４ｃを有しており、内側指向面部４ｃと頭頂面部４ｂ及び外側指向面部４ａにより前後方向に貫通する凹状空間４ｄを構成している。この凹状空間４ｄは、ＦＰＣやハーネス等の配線の配策に適宜利用できる。なお、外側指向面部４ａは後方向から前方向に向けて徐々に表裏方向長さが短くなるカット面を有する形態を有している。
【００４５】
ベースプレート１は、金属製の板材をプレス加工及び折り曲げ加工することにより構成され、幅方向の中央近辺に前後方向に比べ幅方向が長い長方形状の平面部１ａを含む。ベースプレート１の平面部１ａよりも幅方向外側に位置する側部１ｂは、表方向に向けて一旦垂直に折り曲げられ、ベースガイド１１及び１２の厚みとほぼ同じ程度の厚みだけ表方向に指向した後さらに表方向に位置する部分が、幅方向の内側に向けて再度折り曲げられて、ベースガイドホルダ１ｃが形成される。
【００４６】
平面部１ａの前方向側端部には左右一対のスプリング受部１ｄが前方向に突出して形成され、側部１ｂの前方向側には幅方向内側に突出する耳部１ｅが形成される、側部１ｂの耳部１ｅが形成される部分と平面部１ａに連絡される部分以外は、ベースガイド１１及び１２の厚みよりも若干短い長さだけ表方向に指向するように折り曲げられて、内壁部１ｆが形成される。
【００４７】
本実施例においては、ベースガイド１１及び１２はベースプレート１の左右一対のベースガイドホルダ１ｃの幅方向内側及び内壁部１ｆの幅方向外側に画成される部分にそれぞれ係合止め、インサート成形等の適宜の手段により接合されそれぞれ把持されている。ベースガイド１１、１２は、スライダー２、３の上述した摺動部に対する滑性を良好とするため、例えばポリアセタール等の樹脂により形成されている。なお、ベースガイド１１が含むリアストッパー１１ａとベースガイド１２が含むリアストッパー１２ａは、スライダー２が含むリアストッパー２ｆとスライダー３が含むリアストッパー３ｆに後方向へのスライド時に当接される。
【００４８】
加えて本実施例の電子機器用スライド装置Ｄ１は、操作反力と付勢力を発生させるスプリング１３と、スプリング１３を取り付けるスプリングピン１４を含み、スプリング１３をスライドプレート４側に連結するにあたって、前後方向における断面がＬ字断面状のプレート１５を用いている。
【００４９】
プレート１５は表裏方向に垂直な平板部と幅方向に垂直な側面部を具備しており、側板部に設けられた孔部１５ａにスライドピン６の幅方向内側端部をカシメにより嵌合し、さらに、スライドプレート４の外側指向面部４ａの孔部４ａｂにスライドピン６の幅方向内側端部をカシメにより嵌合することにより、側板部は外側指向面部４ａに固定される。
【００５０】
プレート１５の平板部にはスプリングピン１４が嵌合される孔部が設けられており、コの孔部にスプリング１３の端部を挿通したスプリングピン１４を嵌合することにより、スプリング１３の端部がスライドプレート４側に連結される。スプリング１３の他方側の端部は、ベースプレート１のスプリング受部１ｄに設けられた孔部に、他方側の端部を挿通したスプリングピン１４を嵌合することによって、ベースプレート１側に連結される。
【００５１】
ベースプレート１には前後左右四箇所のタップが形成され、図３に示す電子装置Ｓの本体部ＢＤ側に形成された図示しない穴から挿通された図示しないネジがこれらのタップに螺合されて、ベースプレート１は本体部ＢＤに固定される。スライドプレート４にも図示しない複数箇所のタップが形成され、図３に示す電子装置Ｓの副体部ＢＵ側に形成された図示しない穴から挿通された図示しないネジがこれらのタップに螺合されて、スライドプレート４は副体部ＢＵに固定される。
【００５２】
ここで、図１中に示す前後方向のうち前方向は、図３に示す、副体部ＢＵが本体部ＢＤに対して前後方向に完全にオーバーラップする閉位置に向かう方向であり、電子機器用スライド装置Ｄ１を含む電子機器Ｓをユーザが使用している場合にはユーザに向かう方向である。
【００５３】
図３中左側の上段図は電子機器Ｓを後方向から視て示すものであるが、本体部ＢＤと副体部ＢＵに跨ってＴ字状をなすカバーＣが設けられており、このカバーＣは、図１に示したスライダー２の折り曲げ部２ｇと、スライダー３の折り曲げ部３ｇにそれぞれ固定され、スライダー２、３の前後方向のスライドに伴い前後方向に移動して、適宜外部から第一摺動機構及び第二摺動機構を隠して意匠性を高めるものである。
【００５４】
次に本実施例の電子機器用スライド装置Ｄ１のスライド動作について説明する。図４（ａ）〜（ｅ）に示すように、閉状態（ａ）から開状態（ｅ）への移行にあたって、第一摺動機構のスライド動作と、第二摺動機構のスライド動作は、第一摺動機構によるスライド動作を先に行うものとする。つまり、ベースプレート１に対してまずスライダー２及びスライダー３を後方向にスライドさせた後、スライダー２及び３に対してスライドプレート４を後方向にスライドさせる。この先後関係を規定する手段として、例えば、スライドプレート４とスライダー２及びスライダー３の前後方向の相対位置関係を拘束する磁石又はクリック機構を含むこととしてもよい。
【００５５】
本実施例の電子機器用スライド装置Ｄ１においては、スプリング１３により、閉状態（ａ）から開状態（ｅ）への移行にあたり、中間状態（ｂ）まではユーザの操作力に対して操作反力を付与し、中間状態（ｂ）以降はユーザの操作力に対して補助力を付与している。また、スプリング１３は、開状態において操作力が入力されない場合には開状態を保持する保持力を作用させている。
【００５６】
本実施例においては、このスプリング１３により発生される補助力を、スライドプレート４を幅方向中心に前端部側を裏方向に移動させて傾動させる力として利用する。つまり、中間状態（ｂ）を経過した後、スライドプレート４がスライダー２及び３に対して後方向にスライドすることを開始して、状態（ｃ）に示すように、当接前においては前後方向に対して後方向端が裏方向に傾斜された連結平面９ｂと部分円筒面９ａとの境界部分がストッパー１０の被当接形状部１０ａに上記補助力に基づいて当接すると、境界部分が被当接形状部１０ａの有している後方向に向かうにつれて表方向に隆起する傾斜面により表方向に押圧されて移動される。
【００５７】
この作用によって、ロックピン９には、図４（ｃ）において反時計回りに回転されるモーメントが発生し、ロックピン９及びロックピン９に結合されたスライドプレート４は、図４（ｃ）中反時計回りに回転され、さらに、スライドピン５が分岐案内手段７ｂ（左側は８ｂ）の円弧部に進入し、スライドピン６は端部案内手段７ｃ（左側は８ｃ）の円弧部に進入して、スライドプレート４の前端部は後端部に対して裏方向に移動されて、図４（ｄ）に示す状態となり、連結平面９ｂは前後方向に平行となる。
【００５８】
引き続き、スプリング１３による補助力が作用することにより、図４（ｄ）に示す状態から、ロックピン９は、自身の連結平面９ｂをストッパー１０の被係合形状部１０ｂの具備する前後方向に平行かつ表裏方向に垂直な平面に支持されながら、さらに後方向に移動されて、図４（ｅ）に示すように、ロックピン９は被係合形状部１０ｂに係合され、かつ、スライドピン５は分岐案内手段７ｂの直線部を移動して終端部に当接し、スライドピン６も端部案内手段７ｃの直線部を移動して終端部に当接して、ロックピン９及びスライドプレート１０の被係合形状部１０ｂの中心周りの回転がロックされた状態で閉状態とされる。
【００５９】
図４（ｅ）に示した閉状態における、本実施例の各構成要素間の相対位置関係について、図５を用いて補足説明する。図５中上図は、本実施例の電子機器用スライド装置Ｄ１を表方向から視て示す図であり、上図以外の図は上図における断面Ａ−Ａ、断面Ｂ−Ｂ、断面Ｃ−Ｃ、断面Ｄ−Ｄと、断面Ｄ−Ｄにおける左側部分Ｅの詳細図である。
【００６０】
図５中上図の下側に図示される断面Ａ−Ａに示すように、閉状態においてはロックピン９がストッパー１０の被係合形状部１０ｂに完全に係合されており、スライドピン５は分岐案内手段７ｂの終端部に当接し、スライドピン６は端部案内手段７ｃに当接している。この閉状態においては、スライドピン５は、スライドピン６に対して裏方向に移動された状態となり、スライドプレート４の前端部は裏方向に移動されて、前述したカット面が前後方向と平行をなす。
【００６１】
この際に、スライドプレート４に連結されるスプリング１３の端部とスプリングピン１４及びプレート１５は断面Ａ−Ａの下側に位置する断面Ｂ−Ｂ、Ｃ−Ｃ、Ｄ−Ｄ及び詳細図Ｅに示すように、前端部が後端部に対して裏方向に移動されて前後方向に対して傾斜することとなる。プレート１５については前後方向の長さについてスプリングピン１４を取り付けるにあたって最低限度の長さとすることにより、プレート１５の傾斜に伴うスプリング１３の連結点の変位を極力抑制することとしている。
【００６２】
なお図４（ｅ）の開状態から閉状態（ａ）への移行にあたっては、まず、ユーザによりスライドプレート４を前方向に移動させる操作力が付与されてスライドピン５は分岐案内手段７ｂ、８ｂの直線部を前方向に逆行し、スライドピン６は端部案内手段７ｃ、８ｃの直線部を前方向に逆行して、状態（ｄ）に移行されて、ロックピン９の被係合形状部１０ｂによる係合が解除された後、スライドプレート４の前端部を裏方向から表方向に移動させるリフト力が付与されると、スライドピン５は分岐案内手段７ｂ、８ｂの円弧部を前方向に逆行し、スライドピン６は端部案内手段７ｃ、８ｃの円弧部を前方向に逆行して、状態（ｃ）に移行される。
【００６３】
状態（ｃ）に移行された後、第一摺動機構のスライド動作と、第二摺動機構５のスライド動作は、いずれが先に行われてもよい。本実施例の電子機器用スライド装置Ｄ１においては、スプリング１３により、開状態（ｅ）から閉状態（ａ）への移行にあたっても、中間まではユーザの操作力に対して操作反力を付与し、中間以降はユーザの操作力に対して補助力を付与している。また、スプリング１３は、閉状態（ａ）において操作力が入力されない場合には閉状態を保持する保持力を作用させている。
【００６４】
以上述べた本実施例の電子機器用スライド装置Ｄ１及び電子機器用スライド装置Ｄ１を含む電子機器Ｓによれば、以下のような作用効果を得ることができる。すなわち、スライドプレート４及びスライドプレート４に固定される副体部ＢＵを、後方向にスライドさせた場合に、スプリング１３によりスライド後半に発生する補助力を利用して、ロックピン９をストッパー１０に自動的に当接させ、この当接により発生するモーメントを利用して、スライドプレート４及び副体部ＢＵのチルト操作を行うことができる。
【００６５】
すなわち、従来技術においては、スライド操作とチルト操作を別個の操作としてユーザが行う必要があったところを、本実施例によれば、スライド操作とチルト操作を一連の開操作に含めて、ユーザはスライド操作のみを行うことによって、チルト操作については電子機器用スライド装置Ｄ１側が自動的に行うこととすることができる。
【００６６】
また、チルト操作を自動的に実行した後において、上述した補助力をさらに利用して、ロックピン９をストッパー１０の被係合形状部１０ｂに係合させることにより、チルト操作終了後のスライドプレート４の幅方向周りの回転をこれも自動的に防止してロックすることができる。
【００６７】
これらのチルト操作とロック操作を、スライド操作に伴わせて電子機器用スライド装置Ｄ１側が自動的に実行することにより、従来技術であれば別個の操作であったチルト操作とロック操作を、スライド操作に付随して自動的に実行される操作として、ユーザの利便性と操作性を両立させて高めることができる。
【００６８】
また、チルト操作により、スライドプレート４に固定された副体部ＢＵの前端部を後端部に対して裏方向に移動させて沈み込ませて、副体部ＢＵの前端部と本体部ＢＤの後端部の表裏方向における位置を一致させて、意匠性を高めることができる。また、副体部ＢＵが例えばディスプレイを含む場合に、本体部ＢＤに対して副体部ＢＵを傾斜させたユーザにとってより見やすい角度を自動的に選択して、視認性を高めることができる。
【００６９】
加えて、閉状態を選択した後再び開状態を選択するにあたって、ロックピン９をストッパー１０の拘束から解除する操作は、副体部ＢＵを前方向に若干移動させるワンタッチ操作であり、スライドピン５を分岐案内手段７ｂ又は８ｂから案内手段７ａ、８ａに戻す操作は、副体部ＢＵを表方向に若干移動させるワンタッチ操作であるため、例えば、前者のワンタッチ操作を中指で後者のワンタッチ操作を人差し指で行うことにより、解除操作についてもより簡略化して片手による操作をより容易なものとすることができる。
【００７０】
さらに、従来技術においてはチルト操作を実現するにあたってはヒンジ機構が必須となり、ヒンジ機構自体を前後方向にスライドさせる必要があった。このため、従来技術においてチルト操作を実現することは特には副体部ＢＵのガタツキを増大させることを招きやすかったが、本実施例においては、チルト操作に必要なモーメントを、スライド最終段階におけるロックピン９とストッパー１０の当接時においてのみ発生し、ヒンジ機構に相当する構成をスライド最終段階においてのみ構成しているので、副体部ＢＵの幅方向及び表裏方向を中心としたガタツキの発生を極力抑制することができる。
【００７１】
このことに加えて、本実施例においては、スライダー２及びスライダー３を上述したように前後方向に平行な折り曲げ線に基づいて平板を折り曲げて構成し、表裏方向に垂直な面については表面と裏面を摺動面とし、幅方向に垂直な面については外面又は内面を摺動面とし、さらに、対応する被摺動面に接触させているため、拘束力を幅方向と表裏方向の双方に発生させて、ベースプレート１に対するスライダー２及び３との間に発生するガタツキをも極力抑制することができる。
【００７２】
また、スライダー２及び３を構成する面の内表裏方向に垂直な面については表面と裏面のみを摺動面とし、幅方向に垂直な面については外面又は内面のみを摺動面として、一般に表面精度が荒い平板の端面を摺動面として利用しないこととしているので、スライド操作そのものをより円滑なものとし、これによっても繰り返し操作によるスライダーガイド７、８の摩耗を低減することができ、それに伴いガタツキを防止することができる。
【００７３】
さらに、本実施例においては、第一摺動機構と第二摺動機構を組み合わせて使用しているため、開状態つまり伸長状態において、本体部ＢＤの露出面積を所望される面積に確保してユーザの利便性を確保することができるとともに、副体部ＢＵの安定性を確保して操作性を確保するができる。つまり、これらの双方を両立させて商品性を高めることができる。
【００７４】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００７５】
本発明によれば、利便性と操作性を両立させ視認性や意匠性をも高めて商品性を高めることができる電子機器用スライド装置を提供することができるので、本体部に対してある移動方向に移動可能な副体部を有する各種電子機器に適用して有益なものである。
【符号の説明】
【００７６】
Ｓ        電子機器
Ｄ１      電子機器用スライド装置
１        ベースプレート（基板）
１ａ      平面部
１ｂ      側部
１ｃ      ベースガイドホルダ
１ｄ      スプリング受部
１ｅ      耳部
２        スライダー（中間板：右）
２ａ      内側面部
２ａｗ    開口部
２ｂ      頂面部
２ｃ      外側面部
２ｃｗ    開口部
２ｄ      外側縁部
２ｅ      嵌合部
３        スライダー（中間板：右）
３ａ      内側面部
３ａｗ    開口部
３ｂ      頂面部
３ｃ      外側面部
３ｃｗ    開口部
３ｄ      外側縁部
３ｅ      嵌合部
４        スライドプレート（摺動板）
４ａ      外側指向面部
４ｂ      頭頂面部
４ｃ      内側指向面部
４ｄ      凹状空間
５        スライドピン（第一突部）
６        スライドピン（第二突部）
７        スライダーガイド（案内体：右）
７ａ      案内手段（右）
７ｂ      分岐案内手段（右）
７ｃ      端部案内手段（右）
８        スライダーガイド（案内体：左）
８ａ      案内手段（左）
８ｂ      分岐案内手段（左）
８ｃ      端部案内手段（左）
９        ロックピン（当接片）
９ａ      部分円筒面
９ｂ      連結平面
１０        ストッパー（被当接片）
１０ａ      被当接形状部
１０ｂ      被係合形状部
１０ｃ      端部案内手段対応溝
１１        ベースガイド（被摺動部：右）
１２        ベースガイド（被摺動部：左）
１３        スプリング
１４        スプリングピン
１５        プレート
【図１】
0005551024.tif 000002
【図２】
0005551024.tif 000003
【図３】
0005551024.tif 000004
【図４】
0005551024.tif 000005
【図５】
0005551024.tif 000006